(57)【要約】【課題】実装される装置内における部品の配置の自由度を向上することができる信号伝送システム及び電気コネクタを提供する。【解決手段】信号伝送システム１は、板状の配線部材２と、配線部材２を回路基板４に接続する電気コネクタ３と、を備える。配線部材２の端部に円弧状又は円環状の電極が設けられている。電気コネクタ３は、ハウジングと、コンタクトと、を備える。ハウジングは、回路基板４に実装され、電極の形状に沿った仮想円の中心まわりに配線部材２を回転可能に保持する絶縁性の部材である。コンタクトは、ハウジングに固定され、回路基板４の信号電極と接続する基板接続部及びハウジングに保持された配線部材２の電極と接触する接触部が設けられ、接触部により電極を押圧する弾性力が付与されるように構成された導電性の部材である。【選択図】図１
2019114458.tif 000002
【特許請求の範囲】
【請求項１】
板状の配線部材と、前記配線部材を回路基板に接続する電気コネクタと、を備える信号伝送システムであって、
前記配線部材の端部に円弧状又は円環状の電極が設けられ、
前記電気コネクタは、
前記回路基板に実装され、前記電極の形状に沿った仮想円の中心まわりに前記配線部材を回転可能に保持する絶縁性のハウジングと、
前記ハウジングに固定され、前記回路基板の信号電極と接続する基板接続部及び前記ハウジングに保持された前記配線部材の前記電極と接触する接触部が設けられ、前記接触部により前記電極を押圧する弾性力が付与されるように構成された導電性のコンタクトと、
を備える信号伝送システム。
【請求項２】
前記配線部材では、同心円状に並ぶ前記電極が複数形成され、
前記電気コネクタには、個々の前記電極に一対一で押圧して接触する前記コンタクトが複数設けられている、
請求項１に記載の信号伝送システム。
【請求項３】
前記複数のコンタクトは、前記配線部材の回転中心を通る直線上に、長手方向が前記直線に直交する向きで配列されている、
請求項２に記載の信号伝送システム。
【請求項４】
前記複数のコンタクトは、前記配線部材の回転中心から近い順に、その回転中心を基準にして、前記接触部が分散して配置されている、
請求項３に記載の信号伝送システム。
【請求項５】
前記配線部材から前記回路基板を見たときに、隣接する前記コンタクト同士では、前記接触部に対して前記基板接続部が互いに逆側に位置するように前記コンタクトが配置されている、
請求項３又は４に記載の信号伝送システム。
【請求項６】
前記配線部材には、
前記電極が設けられた端部を補強する補強板が設けられている、
請求項１から５のいずれか一項に記載の信号伝送システム。
【請求項７】
前記配線部材には、前記電極の形状に沿った仮想円の中心に貫通孔が設けられ、
前記ハウジングは、
前記電極が設けられた面と対向した状態で前記配線部材が載置される載置台と、
前記載置台より突出して前記配線部材の前記貫通孔と嵌合し、前記載置台から突出する高さが、前記補強板を含めた前記配線部材の厚みより大きい円柱状の突出部と、
を備え、
前記コンタクトの前記接触部が、前記載置台から張り出して、前記配線部材の前記電極を押圧して接触し、
前記突出部には、前記貫通孔が前記突出部から抜けるのを防止する抜け防止部が設けられている、
請求項６に記載の信号伝送システム。
【請求項８】
前記コンタクトの前記接触部は、前記配線部材の前記電極の接線方向に曲がる曲面が形成されている、
請求項１から７のいずれか一項に記載の信号伝送システム。
【請求項９】
円弧状又は円環状の電極が端部に設けられた板状の配線部材を回路基板に接続する電気コネクタであって、
前記回路基板に実装され、前記電極の形状に沿った仮想円の中心まわりに前記配線部材を回転可能に保持する絶縁性のハウジングと、
前記ハウジングに固定され、前記回路基板の信号電極と接続する基板接続部及び前記ハウジングに保持された前記配線部材の前記電極と接触する接触部が設けられ、前記接触部により前記電極を押圧する弾性力が付与されるように構成された導電性のコンタクトと、
を備える電気コネクタ。
【発明の詳細な説明】
【技術分野】
【０００１】
本発明は、信号伝送システム及び電気コネクタに関する。
【背景技術】
【０００２】
特許文献１には、凹部を成す部材収容部を有する絶縁ハウジングと、絶縁ハウジングに開閉可能に、片持ち状に取り付けられたアクチュエータと、を備えるコネクタ装置が開示されている。このコネクタ装置は、部材収容部に収容されたフレキシブル基板を、絶縁ハウジングとアクチュエータとで挟むことで保持している。
【先行技術文献】
【特許文献】
【０００３】
【特許文献１】特許５５４５４４０号公報
【発明の概要】
【発明が解決しようとする課題】
【０００４】
上記特許文献１に開示されたコネクタ装置では、保持されたフレキシブル基板は、絶縁ハウジングに設けられた突起状の突出部に係止されるので、フレキシブル基板の向きはコネクタ装置に対して固定となる。フレキシブル基板の向きが固定されている場合、フレキシブル基板を取り回すことができる範囲が限られる。このため、コネクタ装置及びフレキシブル基板が実装される装置内における部品の配置の自由度が設計上の制約を受ける。
【０００５】
本発明は、上記実情に鑑みてなされたものであり、実装される装置内における部品の配置の自由度を向上することができる信号伝送システム及び電気コネクタを提供することを目的とする。
【課題を解決するための手段】
【０００６】
上記目的を達成するために、本発明の第１の観点に係る信号伝送システムは、
板状の配線部材と、前記配線部材を回路基板に接続する電気コネクタと、を備える信号伝送システムであって、
前記配線部材の端部に円弧状又は円環状の電極が設けられ、
前記電気コネクタは、
前記回路基板に実装され、前記電極の形状に沿った仮想円の中心まわりに前記配線部材を回転可能に保持する絶縁性のハウジングと、
前記ハウジングに固定され、前記回路基板の信号電極と接続する基板接続部及び前記ハウジングに保持された前記配線部材の前記電極と接触する接触部が設けられ、前記接触部により前記電極を押圧する弾性力が付与されるように構成された導電性のコンタクトと、
を備える。
【０００７】
この場合、前記配線部材では、同心円状に並ぶ前記電極が複数形成され、
前記電気コネクタには、個々の前記電極に一対一で押圧して接触する前記コンタクトが複数設けられている、
こととしてもよい。
【０００８】
また、前記複数のコンタクトは、前記配線部材の回転中心を通る直線上に、長手方向が前記直線に直交する向きで配列されている、
こととしてもよい。
【０００９】
前記複数のコンタクトは、前記配線部材の回転中心から近い順に、その回転中心を基準にして、前記接触部が分散して配置されている、
こととしてもよい。
【００１０】
前記配線部材から前記回路基板を見たときに、隣接する前記コンタクト同士では、前記接触部に対して前記基板接続部が互いに逆側に位置するように前記コンタクトが配置されている、
こととしてもよい。
【００１１】
前記配線部材には、
前記電極が設けられた端部を補強する補強板が設けられている、
こととしてもよい。
【００１２】
前記配線部材には、前記電極の形状に沿った仮想円の中心に貫通孔が設けられ、
前記ハウジングは、
前記電極が設けられた面と対向した状態で前記配線部材が載置される載置台と、
前記載置台より突出して前記配線部材の前記貫通孔と嵌合し、前記載置台から突出する高さが、前記補強板を含めた前記配線部材の厚みより大きい円柱状の突出部と、
を備え、
前記コンタクトの前記接触部が、前記載置台から張り出して、前記配線部材の前記電極を押圧して接触し、
前記突出部には、前記貫通孔が前記突出部から抜けるのを防止する抜け防止部が設けられている、
こととしてもよい。
【００１３】
また、前記コンタクトの前記接触部は、前記配線部材の前記電極の接線方向に曲がる曲面が形成されている、
こととしてもよい。
【００１４】
本発明の第２の観点に係る電気コネクタは、
円弧状又は円環状の電極が端部に設けられた板状の配線部材を回路基板に接続する電気コネクタであって、
前記回路基板に実装され、前記電極の形状に沿った仮想円の中心まわりに前記配線部材を回転可能に保持する絶縁性のハウジングと、
前記ハウジングに固定され、前記回路基板の信号電極と接続する基板接続部及び前記ハウジングに保持された前記配線部材の前記電極と接触する接触部が設けられ、前記接触部により前記電極を押圧する弾性力が付与されるように構成された導電性のコンタクトと、
を備える。
【発明の効果】
【００１５】
本発明によれば、回路基板と配線部材を接続する電気コネクタが配線部材を回転可能に保持できるので、配線部材を取り回すことができる範囲を広げることができる。この結果、実装される装置内における電気コネクタ及び配線部材を含む部品の配置の自由度を向上することができる。
【図面の簡単な説明】
【００１６】
【図１】図１（Ａ）は、本発明の実施の形態に係る信号伝送システムの斜視図である。図１（Ｂ）は、基板を除いた状態で信号伝送システムを下方から見た斜視図である。
【図２】図２（Ａ）は、配線部材の底面図である。図２（Ｂ）は、配線部材の上面図である。
【図３】図３（Ａ）は、信号伝送システムを構成する電気コネクタの構成を示す斜視図である。図３（Ｂ）は、図３（Ａ）の電気コネクタの上面図である。
【図４】図４（Ａ）は、信号伝送システムの正面図である。図４（Ｂ）は、図４（Ａ）のＡ−Ａ断面図である。図４（Ｃ）は、図４（Ａ）のＢ−Ｂ断面図である。
【図５】コンタクトの接触部と配線部材の電極との接触状態（その１）を示す図である。
【図６】コンタクトの接触部と配線部材の電極との接触状態（その２）を示す図である。
【図７】配線部材が回転する様子を示す図である。
【図８】電気コネクタ及び配線部材の配置例を示す上面図である。
【図９】電気コネクタの変形例を示す上面図である。
【発明を実施するための形態】
【００１７】
以下、本発明の実施の形態について図面を参照して詳細に説明する。全図において、同一又は相当する構成要素には、同一符号を付している。
【００１８】
図１（Ａ）及び図１（Ｂ）に示すように、本実施の形態に係る信号伝送システム１は、板状の配線部材２と、配線部材２を回路基板４に接続する電気コネクタ３と、を備える。信号伝送システム１は、電気コネクタ３を介して配線部材２と回路基板４との間で信号を伝送するために設けられている。
【００１９】
図２（Ａ）に示すように、配線部材２の端部には、円環状の電極２ａが４つ設けられている。複数の電極２ａは、同心円状に配列されている。電極２ａの形状の中心を点Ｏとし、各電極２ａの中心線との距離（半径）をｒ１，ｒ２，ｒ３，ｒ４とする。各電極２ａの幅は、互いに接触することのない幅となっている。
【００２０】
配線部材２には、電極２ａの形状に沿った仮想円の中心と同じ中心である円形の貫通孔２ｃが設けられている。すなわち、貫通孔２ｃも４つの電極２ａと同心である。
【００２１】
配線部材２は多層構造となっており、内側の層（中間層）に信号線路２ｂが４本配設されている。信号線路２ｂは、それぞれ配線部材２の長手方向に延びており、配線部材２において信号を伝送する線路である。各電極２ａは、スルーホール２ｄを介して、それぞれ長手方向に延びる信号線路２ｂの端部と接続されている。これにより、配線部材２では、電極２ａと、スルーホール２ｄと、信号線路２ｂと続く信号の伝送線路が形成されている。
【００２２】
また、配線部材２には、図２（Ｂ）に示すように、電極２ａが設けられた端部を補強する補強板２ｅが設けられている。補強板２ｅは、例えば樹脂等の絶縁性の部材であり、湾曲しない程度の厚みを有している。これにより、配線部材２の端部が、撓むことなくスムーズに回転し易くなっている。なお、補強板２ｅは、例えば金属板等の導電性の部材でもよい。
【００２３】
電気コネクタ３は、図３（Ａ）及び図３（Ｂ）に示すように、ハウジング１０と、４本のコンタクト１１と、を備える。
【００２４】
ハウジング１０は、回路基板４に実装され、電極２ａの形状に沿った仮想円の中心まわりに配線部材２を回転可能に保持する絶縁性の部材（例えば、樹脂製の部材）である。ハウジング１０は、載置台２０と、突出部２１と、を備える。
【００２５】
載置台２０は、直方体状の部材であり、矩形状の底面を有する。載置台２０の底面が回路基板４に取り付けられる。載置台２０の上面に配線部材２が載置される。本実施の形態では、載置台２０の長手方向をｘ軸方向とし、回路基板４の実装面の面内方向のうち、ｘ軸に直交する方向をｙ軸方向とし、回路基板４の実装面に直交する方向をｚ軸方向と規定している。
【００２６】
突出部２１は、矩形平板状の載置台２０の上面中央より突出する円柱状の部材である。配線部材２は、電極２ａが設けられた面が載置台２０に対向した状態で載置台２０に載置される。突出部２１には、配線部材２の貫通孔２ｃが嵌め込まれる。このため、突出部２１の径は、貫通孔２ｃの径と同じ（公差を考慮して突出部２１の径の方がやや小）である。
【００２７】
図１（Ａ）に示すように、突出部２１（図３（Ａ）参照）の上面には、配線部材２が突出部２１から抜けるのを防止する抜け防止部２２が設けられている。本実施の形態では、抜け防止部２２は、ボルト２２ａとワッシャ２２ｂを備える。突出部２１の上面には、ｚ軸方向に延びるねじ穴２１ａ（図３（Ａ）参照）が設けられている。このねじ穴２１ａにワッシャ２２ｂを介してボルト２２ａが嵌め込まれ、ワッシャ２２ｂによって、配線部材２が突出部２１から外れるのが防止される。
【００２８】
なお、図１（Ｂ）に示すように、ボルト２２ａのねじ部分は、ハウジング１０の底面から大きく突出している。ボルト２２ａは、回路基板４（図３（Ａ）参照）のねじ穴にも螺合され、ボルト２２ａにより、回路基板４、電気コネクタ３、配線部材２をまとめて固定可能となっている。
【００２９】
また、突出部２１は、図３（Ａ）に示すように、載置台２０から突出する高さＨが、補強板２ｅを含めた配線部材２の厚みＤより大きくなっている。図４（Ａ）に示すように、突出部２１が載置台２０の上面から突出する高さＨと、配線部材２の厚みＤとの差をｄとする。
【００３０】
載置台２０には、図３（Ａ）に示すように、ｘ軸方向に延びる４つの溝部２０ａが設けられている。４つの溝部２０ａには、それぞれコンタクト１１が圧入固定される。
【００３１】
コンタクト１１は、ハウジング１０に固定された導電性の部材（例えば金属製の部材）である。図４（Ｂ）及び図４（Ｃ）に示すように、コンタクト１１の形状は、細長板状であり、途中で折り曲げられた状態でハウジング１０に固定されている。コンタクト１１は、その一端に回路基板４の信号電極４ａと接続する基板接続部１１ａが設けられており、他端にハウジング１０に保持された配線部材２の電極２ａと接触する接触部１１ｂが設けられている。
【００３２】
コンタクト１１は、接触部１１ｂにより電極２ａを押圧する弾性力が上下方向に付与されるように構成されている。具体的には、コンタクト１１は、底辺部１１ｃと、斜辺部１１ｄとが形成されており、その間で折り曲げられている。底辺部１１ｃがハウジング１０の下部に固定され、斜辺部１１ｄは、底辺部１１ｃから離れるにつれてハウジング１０の下部から離れるように斜め上に延びている。
【００３３】
コンタクト１１の接触部１１ｂは、斜辺部１１ｄの先端に設けられており、斜辺部１１ｄの移動に伴って上下方向に移動可能である。接触部１１ｂは、載置台２０の上面から張り出して、配線部材２の電極２ａと接触し、これを押圧する。
【００３４】
接触部１１ｂの高さは、突出部２１が載置台２０の上面から突出する高さＨと、配線部材２の厚みＤとの差ｄよりも高く設定する必要がある。このようにすれば、コンタクト１１は、その弾性力により、配線部材２の電極２ａとの押圧接触状態を維持することができる。
【００３５】
また、図５に示すように、コンタクト１１の接触部１１ｂは、配線部材２の電極２ａの接線方向に曲がる曲面が形成されている。これにより、接触部１１ｂと電極２ａとの間に生じる摺動抵抗を小さくすることができる。
【００３６】
また、図６に示すように、複数のコンタクト１１の接触部１１ｂには、接触する電極２ａの接線方向に溝部１１ｂａが形成されている。これにより、接触部１１ｂと電極２ａとの間に生じる摺動抵抗を小さくすることができる。
【００３７】
４本のコンタクト１１は、個々の電極２ａに一対一で押圧して接触する。図３（Ｂ）に示すように、コンタクト１１は、配線部材２の各電極２ａと同じように、基準点Ｐからｘ軸方向にｒ１、ｒ２、ｒ３、ｒ４の距離に、ｘ軸方向に延びるように配置されている。
【００３８】
図３（Ｂ）に示すように、複数のコンタクト１１は、配線部材２の回転中心を通る直線Ｌ上に、その長手方向が直線Ｌに直交する向きで配列されている。また、複数のコンタクト１１は、配線部材２の回転中心Ｏ（図２（Ａ）参照）から近い順に、その回転中心Ｏを基準にして、接触部１１ｂが分散して配置されている。
【００３９】
また、複数のコンタクト１１は、配線部材２から回路基板４を見たときに、隣接するコンタクト１１同士では、接触部１１ｂに対して基板接続部１１ａが互いに逆側に位置するように配置されている。これにより、基準点Ｐに対して、４つの基板接続部１１ａを＋ｙ側及び−ｙ側に分けて配置することができる。
【００４０】
次に、本発明の実施の形態に係る信号伝送システム１の動作について説明する。
【００４１】
図７に示すように、配線部材２は、端部を中心に３６０度回動可能である。ここで、配線部材２を回動可能とする利点について、例えば、図８に示すように、回路基板４上に、２つの電気コネクタ３（ここでは電気コネクタ３Ａ，３Ｂとする）を実装して配線を行う場合を参照して説明する。配線部材２の一端は、電気コネクタ３Ａに接続され、配線部材２の他端は電気コネクタ３Ｂに接続される。
【００４２】
配線部材２が回動可能であるため、電気コネクタ３Ｂは、電気コネクタ３Ａに対して、回路基板４上の実装位置は任意となる。図８では、例えば、回路基板４上の３つの位置に、電気コネクタ３Ｂを実装することが示されている。
【００４３】
また、この信号伝送システム１によれば、実装される装置において、電気コネクタ３Ａ，３Ｂの相対位置が変化する場合であっても、配線部材２が回動可能となっているので、電気コネクタ３等の故障を防止することができる。
【００４４】
この場合、載置台２０の上面からの突出部２１の高さＨは、補強板２ｅを含む配線部材２の厚みＤよりも高いため、配線部材２は、コンタクト１１の接触部１１ｂで上方に抑えられつつも、回動し易くなっている。また、コンタクト１１の接触部１１ｂは、配線部材２の電極２ａの接線方向に曲がる曲面を有している。これにより、配線部材２が回転する際に生じる電極２ａと接触部１１ｂとの摩擦抵抗を極力小さくすることができる。このようにすれば、配線部材２をスムーズに回転させることができるうえ、電極２ａやコンタクト１１の摩耗を少なくすることができる。
【００４５】
また、本実施の形態では、ハウジング１０において、複数のコンタクト１１の接触部１１ｂには、電極２ａの接線方向に溝部１１ｂａが形成されている。このようにすれば、接触部１１ｂと電極２ａとの接触面積を少なくして、接触部１１ｂと電極２ａとの接触位置のずれを少なくすることができる。
【００４６】
以上詳細に説明したように、本実施の形態によれば、回路基板４と配線部材２を接続する電気コネクタ３が配線部材２を回転可能に保持できるので、配線部材２を取り回すことができる範囲を広げることができる。この結果、実装される装置内における電気コネクタ３及び配線部材２を含む部品（例えば回路基板４上の実装部品）の配置の自由度を向上することができる。
【００４７】
また、本実施の形態によれば、配線部材２では、同心円状に並ぶ電極２ａが複数形成され、電気コネクタ３には、個々の電極２ａに一対一で押圧して接触するコンタクト１１が複数設けられている。このようにすれば、複数の信号を一度に伝送することができる。
【００４８】
なお、本実施の形態では、円環状の電極２ａの本数は４本であったが、本発明はこれには限られない。電極２ａの本数は少なくとも１本あればよい。電気コネクタ３に設けられるコンタクト１１の数は、電極２ａの数に応じた数となる。
【００４９】
また、本実施の形態によれば、複数のコンタクト１１は、配線部材２の回転中心を通る直線Ｌ上に、直線Ｌにその長手方向が直交する向きで配列されている。このようにすれば、複数のコンタクト１１の配列をコンパクトなものとすることができるので、電気コネクタ３全体を小型化することができる。
【００５０】
また、本実施の形態によれば、複数のコンタクト１１は、配線部材２の回転中心から近い順に、その回転中心を基準にして、接触部１１ｂが分散して配置されている。このようにすれば、コンタクト１１の接触部１１ｂが、配線部材２をバランス良く支持することができる。
【００５１】
また、本実施の形態によれば、配線部材２から回路基板４を見たときに、隣接するコンタクト１１同士では、接触部１１ｂに対して基板接続部１１ａが互いに逆側に位置するようにコンタクト１１が配置されている。このようにすれば、配線部材２の端部の回転中心Ｏに対して、接触部１１ｂを円周方向に分散することができるので、接触部１１ｂが配線部材２をバランス良く支持することができる。
【００５２】
また、本実施の形態によれば、配線部材２には、電極２ａが設けられた端部を補強する補強板２ｅが設けられている。このようにすれば、配線部材２をスムーズに回転させることができる。しかしながら、本発明はこれには限られない。配線部材２が十分に堅牢である場合には、補強板２ｅを備える必要はない。
【００５３】
また、本実施の形態によれば、配線部材２には、電極２ａの形状に沿った仮想円の中心に貫通孔２ｃが設けられ、ハウジング１０は、電極２ａが設けられた面と対向した状態で配線部材２が載置される載置台２０と、載置台２０より突出して配線部材２の貫通孔２ｃと嵌合する円柱状の突出部２１を備える。このような構成にすれば、コンタクト１１と配線部材２の電極２ａとを接触させたまま、回路基板４に接続する配線部材２を回転させることができる構造を提供することができる。
【００５４】
また、本実施の形態では、突出部２１の上面にねじ穴２１ａを設け、ボルト２２ａ及びワッシャ２２ｂで、配線部材２が抜け出ないように防止した。しかしながら、本発明はこれには限られない。突出部２１のねじ穴２１ａに螺合する特製のキャップをボルト２２ａ及びワッシャ２２ｂの代わりに抜け防止部２２として用いるようにしてもよい。
【００５５】
また、本実施の形態によれば、載置台２０から突出する高さを、補強板２ｅを含めた配線部材２の厚みより大きくし、コンタクト１１の接触部１１ｂが、載置台２０から突出させて、配線部材２の電極２ａを押圧して接触した。このようにすれば、配線部材２を回転するにあたって、コンタクト１１と電極２ａとを接合させたままで、その回転に対する抵抗力を極力少なくすることができる。
【００５６】
本実施の形態では、載置台２０の上面の形状は長方形状であったが、本発明はこれには限られない。載置台２０の上面の形状は、正方形状であってもよい。
【００５７】
また、本実施の形態では、載置台２０は、直方体状であったが、本発明はこれには限られない。載置台２０の形状は、円柱状であってもよい。この場合、載置台２０の上面の形状は、円形となる。
【００５８】
また、上記実施の形態では、ハウジング１０において、複数のコンタクト１１がそれぞれ平行に配置されたが、本発明はこれには限られない。例えば、図９に示すように、複数のコンタクト１１を、突出部２１に対して放射状に配置する構成としてもよい。この構成によっても、接触部１１ｂを分散可能である。
【００５９】
なお、本実施の形態では、配線部材２の電極２ａは、円環状であったが、円弧状であってもよい。電極２ａの円弧に対応する中心角は、配線部材２に許容される回転角度に応じて決定されるのが望ましい。この場合、配線部材２が許容回転角度を超えて回転しないように、ハウジング１０に配線部材２の回転止めが設けられるようにしてもよい。
【００６０】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００６１】
本発明は、装置内に実装される電気コネクタと配線部材とを備える信号伝送システムに適用することができる。
【符号の説明】
【００６２】
１  信号伝送システム、２  配線部材、２ａ  電極、２ｂ  信号線路、２ｃ  貫通孔、２ｄ  スルーホール、２ｅ  補強板、３，３Ａ，３Ｂ  電気コネクタ、４  回路基板、４ａ  信号電極、１０  ハウジング、１１  コンタクト、１１ａ  基板接続部、１１ｂ  接触部、１１ｂａ  溝部、１１ｃ  底辺部、１１ｄ  斜辺部、２０  載置台、２０ａ  溝部、２１  突出部、２１ａ  ねじ穴、２２  抜け防止部、２２ａ  ボルト、２２ｂ  ワッシャ
【図１】
2019114458.tif 000003
【図２】
2019114458.tif 000004
【図３】
2019114458.tif 000005
【図４】
2019114458.tif 000006
【図５】
2019114458.tif 000007
【図６】
2019114458.tif 000008
【図７】
2019114458.tif 000009
【図８】
2019114458.tif 000010
【図９】
2019114458.tif 000011